(57)【要約】【課題】跳ね返った尿により小便器本体の周りの床が汚れることをより少なくすることができる小便器用放尿目標体を提供する。【解決手段】本発明の小便器用放尿目標体２０は、小便器本体１０の鉢面１１に取付けられ、用便者１が放尿の目標にする者である。この小便器用放尿目標体２０は、鉢面１１から前方に突出する遮蔽壁２２を有する。遮蔽壁２２は、上向きに開いて放尿の目標とされる第１開口２２ａと、第１開口２２ａの前縁に連続し、第１開口２２ａから侵入して前方に跳ね返る尿の飛散を阻止する長さの遮蔽面２２ｓと、第１開口２２ａに連通し、下向きに開く第２開口２２ｂとが形成されている。【選択図】図１
2008297833.tif 000002
【特許請求の範囲】
【請求項１】
小便器本体の鉢面に取付けられ、用便者が放尿の目標にする小便器用放尿目標体であって、
前記鉢面から前方に突出する遮蔽壁を有し、
該遮蔽壁は、上向きに開いて放尿の目標とされる第１開口と、該第１開口の前縁に連続し、該第１開口から侵入して前方に跳ね返る尿の飛散を阻止する長さの遮蔽面と、該第１開口に連通し、下向きに開く第２開口とが形成されていることを特徴とする小便器用放尿目標体。
【請求項２】
前記遮蔽壁を前記鉢面に取付ける貼着部を有し、該遮蔽壁及び該貼着部は樹脂シートにより形成され、該遮蔽壁は該樹脂シートが立体加工されたものである請求項１記載の小便器用放尿目標体。
【請求項３】
前記遮蔽壁を前記鉢面に取付ける貼着部を有し、該遮蔽壁及び該貼着部は樹脂シートが屈曲されて形成されている請求項１記載の小便器用放尿目標体。
【請求項４】
前記樹脂シートは軟質性を有する請求項２又は３記載の小便器用放尿目標体。
【発明の詳細な説明】
【技術分野】
【０００１】
本発明は小便器用放尿目標体に関する。
【背景技術】
【０００２】
特許文献１の図３に従来の小便器用放尿目標体が開示されている。この小便器用放尿目標体は、小便器本体の鉢面に取付けられ、用便者が放尿の目標にするものである。この小便器用放尿目標体は、小便器本体を縮小化した立体的な形状とされており、鉢面から前方に突出し、垂直方向に伸びる左右の側壁と、両側壁の下端及び鉢面に連続し、下向きに開く開口が形成された底壁とを備えている。
【０００３】
このような構成である従来の小便器用放尿目標体は用便者の興味を引き、用便者はこの小便器用放尿目標体の両側壁と底壁とに囲まれた部分を目標にして放尿するようになる。このため、小便器本体の鉢面のうち、小便器本体の鉢面に衝突して跳ね返る尿が小便器本体の外部に飛散し難い位置にこの小便器用放尿目標体を配置することにより、跳ね返った尿が飛散して小便器本体の周りの床や用便者の着衣が汚れることを少なくすることができる。
【０００４】
【特許文献１】実開平２−６２９８２号公報
【発明の開示】
【発明が解決しようとする課題】
【０００５】
しかし、上記従来の小便器用放尿目標体では、放尿の目標とされる部分の前方が開放されているため、跳ね返った尿は前方へ飛散してしまう。また、前方に跳ね返った尿がさらに小便器用放尿目標体の底壁に衝突して跳ねることにより、より前方へ尿が飛散してしまうことがある。このため、尿の勢いや尿が小便器用放尿目標体に衝突する位置によっては、跳ね返った尿が小便器本体の外部に飛散し、小便器本体の周りの床や用便者の着衣を汚してしまうことがある。
【０００６】
本発明は、上記従来の実情に鑑みてなされたものであって、跳ね返った尿により小便器本体の周りの床や用便者の着衣が汚れることをより少なくすることができる小便器用放尿目標体を提供することを解決すべき課題としている。
【課題を解決するための手段】
【０００７】
本発明の小便器用放尿目標体は、小便器本体の鉢面に取付けられ、用便者が放尿の目標にする小便器用放尿目標体であって、
前記鉢面から前方に突出する遮蔽壁を有し、
該遮蔽壁は、上向きに開いて放尿の目標とされる第１開口と、該第１開口の前縁に連続し、該第１開口から侵入して前方に跳ね返る尿の飛散を阻止する長さの遮蔽面と、該第１開口に連通し、下向きに開く第２開口とが形成されていることを特徴とする。
【０００８】
このような構成である本発明の小便器用放尿目標体は、第１開口が放尿の目標とされ、尿は第１開口から遮蔽壁の内部に侵入する。この尿は、遮蔽壁の遮蔽面が第１開口から侵入して前方に跳ね返る尿の飛散を阻止する長さにされているため、遮蔽壁の内部に留まって飛散せず、第２開口から鉢面に排出される。
【０００９】
したがって、本発明の小便器用放尿目標体は、跳ね返った尿により小便器本体の周りの床や用便者の着衣が汚れることをより少なくすることができる。
【００１０】
第１開口から侵入して前方に跳ね返る尿の飛散を阻止する遮蔽面の長さは、遮蔽壁の形状等により特定の長さにされる。つまり、遮蔽面の長さが短い場合には、第１開口から侵入して前方に跳ね返る尿が遮蔽面に阻止されずに遮蔽面の下端に開口する第２開口から前方に向けて飛散してしまう。この場合、第２開口から前方に向けて飛散する尿が小便器本体の外部まで飛散して小便器本体の周りの床を汚す可能性がある。このため、第２開口から排出される尿が前方に向けて飛散しないようになるまで、遮蔽面を下方に伸ばした長さにすることが好ましい。
【００１１】
本発明の小便器用放尿目標体は、遮蔽壁を鉢面に取付ける貼着部を有し、遮蔽壁及び貼着部は樹脂シートにより形成され、遮蔽壁は樹脂シートが立体加工されたものであることが好ましい。この場合、遮蔽壁を種々の形状に立体加工することができるため、用便者が興味を引く形状に小便器用放尿目標体を容易に形成することができる。用便者が興味を引く形状に小便器用放尿目標体を形成すれば、用便者は小便器放尿目標体に向けて放尿するようになり、小便器放尿目標体により尿の飛散が軽減され、小便器本体の周りの床や用便者の着衣が汚れることをさらに少なくすることができる。
【００１２】
本発明の小便器用放尿目標体は、遮蔽壁を鉢面に取付ける貼着部を有し、遮蔽壁及び貼着部は樹脂シートが屈曲されて形成されてもよい。この場合も、小便器用放尿目標体を容易に形成することができる。また、平面状の樹脂シートの中央部を鉢面の前方に突出するように屈曲させながら樹脂シートの左右両側を小便器本体の鉢面に貼着させることにより、小便器用放尿目標体を小便器本体の鉢面に容易に取付けることもできる。
【００１３】
本発明の小便器用放尿目標体において、貼着部が樹脂シートにより形成される場合には、鉢面に貼着された貼着部の前面と鉢面との段差を僅かにすることができる。このため、小便器用放尿目標体が取付けられた小便器本体に洗浄水供給装置が設けられているものであれば、小便器本体の鉢面を洗浄する際に鉢面を流下する洗浄水が貼着部の前面にも流下することになる。つまり、小便器本体の鉢面の洗浄と同時に貼着部の前面も洗浄されるため、貼着部の前面において、尿が乾燥し、付着することにより生じる汚れや臭いの発生を防止することができる。
【００１４】
樹脂シートは軟質性を有することが好ましい。この場合、貼着部を鉢面の凹凸に合わせることができるため、貼着部と鉢面との間に隙間を生じることなく、小便器用放尿目標体を取付けることができる。このため、小便器用放尿目標体を鉢面に強固に貼着することができる。また、樹脂シートにより形成された遮蔽壁の前面に衝突した尿は、遮蔽壁を変形させることにより勢いが弱められるため、前方へ跳ね返り難い。このため、遮蔽壁の前面に衝突した尿の飛散が抑制され、小便器本体の周りの床や用便者の着衣が汚れることをより少なくすることができる。また、遮蔽壁は、尿が衝突しなくなると元の形状に復帰するように適度な硬さを有する軟質性の樹脂シートにより形成される。
【００１５】
樹脂シートとしては、抗菌性を有するものを採用することが好ましい。この場合、小便器用放尿目標体のぬめり汚れを軽減でき、小便器用放尿目標体を清潔に保つことができる。
【００１６】
また、樹脂シートの表面を着色したり、文字やイラスト等を印刷したりしても良い。このようにすれば、小便器用放尿目標体が用便者の興味をより一層引くため、用便者は小便器用放尿目標体に向けてより放尿するようになり、小便器放尿目標体により尿の飛散がさらに軽減され、小便器本体の周りの床や用便者の着衣が汚れることをより少なくすることができる。また、小便器用放尿目標体に広告機能を持たせることができる。さらに、印刷用のインクを尿の温度により変色又は発色するものにしても良い。この場合、小便器用放尿目標体は、用便者の興味をさらに引くため、より小便器本体の周りの床の汚れの軽減と広告機能としての効果を高めることができる。
【発明を実施するための最良の形態】
【００１７】
以下、本発明を具体化した実施例１〜４を図面を参照しつつ説明する。
【実施例１】
【００１８】
図１及び図２に示すように、実施例１の小便器用放尿目標体２０は、小便器本体１０の鉢面１１に取付けられ、用便者１が放尿の目標にするものである。小便器本体１０には、鉢面１１へ洗浄水を供給する洗浄水供給装置１２と、目皿１４により形成され、洗浄水が滞留する水封部１３とが設けられている。洗浄水供給装置１２は、図示はしないが、水道管に接続されており、起動ボタン１２ｂが押されることにより、開閉弁が開弁され、小便器本体１０の鉢面１１へ洗浄水を供給して、鉢面１１を洗浄する。
【００１９】
図３に示すように、この小便器用放尿目標体２０は、外郭形状が四角形の貼着部２１を有している。また、この小便器用放尿目標体２０は、貼着部２１の中央部に形成され、小便器用放尿目標体２０が小便器本体１０の鉢面１１に取付けられた際に鉢面１１から前方に突出する遮蔽壁２２を有している。遮蔽壁２２は、小便器用放尿目標体２０が小便器本体１０の鉢面１１に取付けられた際に上向きに開く第１開口２２ａと、第１開口２２ａに連通し、下向きに開く第２開口２２ｂとが形成されている。また、遮蔽壁２２の後面は小便器用放尿目標体２０が小便器本体１０の鉢面１１に取付けられた際に第１開口２２ａから侵入して前方に跳ね返る尿を阻止する長さの遮蔽面２２ｓとされている。
【００２０】
この小便器用放尿目標体２０は、軟質性を有し、かつ抗菌性を有する１枚の樹脂シートを立体加工して形成されている。つまり、四角形状の１枚の樹脂シートの中央部を正面視が円形状であり、かつ表面が湾曲した形状に膨出するように立体加工する。次に、この膨出部の一部を切り取ることにより第１開口２２ａを形成し、第１開口２２ａに対向する位置の膨出部を切り取ることにより第２開口２２ｂを形成している。このようにして、遮蔽壁２２を有する小便器用放尿目標体２０が形成される。
【００２１】
図１及び図２に示すように、この小便器用放尿目標体２０は小便器本体１０の鉢面１１に両面テープ（図示しない）により取付けられている。第１開口２２ａは、鉢面１１に沿って上向きに開いているため、用便者１の放尿の目標とされる。第１開口２２ａから遮蔽壁２２の内部に侵入して前方に跳ね返る尿は、遮蔽壁２２の遮蔽面２２ｓにより前方への飛散を阻止され、遮蔽壁２２の内部に留まって飛散しない。この遮蔽壁２２の内部に留まった尿は、第２開口２２ｂが鉢面１１に沿って下向きに開いているため、第２開口から排出され、鉢面１１に沿って流下する。第１開口２２ａは尿を受けやすくするため第２開口２２ｂより大きく形成されている。また、第１開口２２ａから尿が溢れ出さない大きさに第２開口２２ｂが形成されている。
【００２２】
したがって、この小便器用放尿目標体２０は、跳ね返った尿により小便器本体１０の周りの床や用便者１の着衣が汚れることをより少なくすることができる。
【００２３】
また、この小便器用放尿目標体２０は、軟質性を有し、かつ抗菌性を有する樹脂シートにより形成されている。貼着部２１が樹脂シートにより形成されているため、鉢面１１と貼着部２１の前面との段差は僅かであり、洗浄水供給装置１２により鉢面１１に洗浄水が供給されると、貼着部２１の前面にも洗浄水が流下する。このため、貼着部２１の前面が洗浄され、貼着部２１の前面に尿が乾燥して付着することにより生じる汚れや臭いの発生を防止することができる。また、貼着部２１が軟質性を有する樹脂シートにより形成されているため、鉢面１１の凹凸に合わせて鉢面１１と隙間なく強固に貼着部２１を貼着することができる。
【００２４】
また、遮蔽壁２２が軟質性を有する樹脂シートにより形成されているため、遮蔽壁２２の前面に衝突した尿は、遮蔽壁２２を変形させることにより勢いが弱められる。このため、尿が前方へ跳ね返り難くなり、尿の飛散が抑制され、小便器本体１０の周りの床や用便者１の着衣が汚れることが軽減される。遮蔽壁２２は尿が衝突しなくなると元の形状に復帰する。また、小便器用放尿目標体２０が抗菌性を有する樹脂シートにより形成されているため、小便器用放尿目標体２０のぬめり汚れを軽減でき、小便器用放尿目標体２０を清潔に保つことができる。
【実施例２】
【００２５】
図４及び図５に示すように、実施例２の小便器用放尿目標体３０は、外郭形状が四角形の貼着部３１を有している。また、この小便器用放尿目標体３０は、貼着部３１の中央部に形成され、小便器用放尿目標体３０が小便器本体１０の鉢面１１に取付けられた際に鉢面１１から前方に突出する略半円筒形状の遮蔽壁３２を有している。
【００２６】
遮蔽壁３２は、小便器用放尿目標体３０が小便器本体１０の鉢面１１に取付けられた際に斜め上向きに開く第１開口３２ａが形成されている。このため、用便者１が放尿した尿が第１開口３２ａから遮蔽壁３２内に侵入しやすい。また、遮蔽壁３２は、第１開口３２ａに連通し、斜め下向きに開く第２開口３２ｂが形成されている。このため、尿は第２開口３２ｂの縁部を伝って貼着部３１側に流下する。また、遮蔽壁３２の後面は、小便器用放尿目標体３０が小便器本体１０の鉢面１１に取付けられた際に第１開口３２ａから侵入して前方に跳ね返る尿を阻止する長さの遮蔽面３２ｓとされている。
【００２７】
遮蔽壁３２は、第１開口３２ａから第２開口３２ｂに向かうに従い、幅方向及び突出方向の寸法が徐々に小さくされている。また、遮蔽面３２ｓは第１開口３２ａから第２開口３２ｂに向かうに従い、遮蔽面３２ｓと貼着部３１の前面との間隔が徐々に小さくされている。このため、第１開口３２ａから第２開口３２ｂに向かうに従い、遮蔽壁３２内における尿の跳ねが小さくなり、その勢いが衰えるため、第２開口３２ｂから尿が前方へより飛散せず、尿は鉢面１１に沿って流下するように第２開口３２ｂから排出される。
【００２８】
貼着部３１は、遮蔽面３２ｓの後方にも連続して存在するため、鉢面１１に貼着される面積が大きい。このため、小便器用放尿目標体３０を鉢面１１に強固に貼着させることができる。
【００２９】
この小便器用放尿目標体３０が軟質性を有し、かつ抗菌性を有する樹脂シートにより形成されている点は、実施例１と同様である。このため、詳細な説明は省略する。
【実施例３】
【００３０】
図６に示すように、実施例３の小便器用放尿目標体４０は、軟質性を有し、かつ抗菌性を有する横長四角形状の樹脂シートを屈曲させて、中央部に略半円筒形状の遮蔽壁４２と、その左右両側に貼着部４１とが形成されている。遮蔽壁４２は、小便器用放尿目標体４０が小便器本体１０の鉢面１１に取付けられた際に上向きに開く第１開口４２ａと、第１開口４２ａに連通し、下向きに開く第２開口４２ｂとが形成されている。また、遮蔽壁４２の後面は、小便器用放尿目標体４０が小便器本体１０の鉢面１１に取付けられた際に第１開口４２ａから侵入して前方に跳ね返る尿を阻止する長さの遮蔽面４２ｓとされている。
【００３１】
この小便器用放尿目標体４０は樹脂シートを屈曲させるのみで、容易に形成される。また、平面状の樹脂シートの中央部を鉢面１１の前方に突出するように屈曲させながら樹脂シートの左右両側の貼着部４１を小便器本体１０の鉢面１１に貼着させることにより、小便器用放尿目標体４０を小便器本体１０の鉢面１１に容易に取付けることもできる。
【００３２】
この小便器用放尿目標体４０が軟質性を有し、かつ抗菌性を有する樹脂シートにより形成されている点は、実施例１及び２と同様である。このため、詳細な説明は省略する。
【実施例４】
【００３３】
図７に示すように、実施例４の小便器用放尿目標体５０は、軟質性を有し、かつ抗菌性を有する樹脂シートにより上端と下端とが開放された略三角柱形状に形成され、側面の一つが貼着部５１とされ、他の二つの側面が遮蔽壁５２とされている。上端の開放された開口は小便器用放尿目標体５０が小便器本体１０の鉢面１１に取付けられた際に上向きに開く第１開口５２ａとされ、下端の開放された開口は下向きに開く第２開口５２ｂとされている。
【００３４】
また、遮蔽壁５２の後面は、小便器用放尿目標体５０が小便器本体１０の鉢面１１に取付けられた際に第１開口５２ａから侵入して前方に跳ね返る尿を阻止する長さの遮蔽面５２ｓとされている。この小便器用放尿目標体５０は、第１開口５２ａから第２開口５２ｂに向かうに従い、遮蔽面５２ｓと貼着部５１の前面との間隔が徐々に小さくなっている。このため、第１開口５２ａから第２開口５２ｂに向かうに従い、遮蔽壁５２内における尿の跳ねが小さくなり、その勢いが衰えるため、第２開口５２ｂから尿が前方により飛散せず、尿は鉢面１１に沿って流下するように第２開口５２ｂから排出される。
【００３５】
この小便器用放尿目標体５０が軟質性を有し、かつ抗菌性を有する樹脂シートにより形成されている点は、実施例１〜３と同様である。このため、詳細な説明は省略する。
【００３６】
以上において、本発明を実施例１〜４に即して説明したが、本発明は上記実施例に制限されるものではなく、その趣旨を逸脱しない範囲で適宜変更して適用できることはいうまでもない。
【００３７】
例えば、小便器用放尿目標体の遮蔽壁は、単純な形状に限られず、動物、乗り物、植物等の種々の形状に形成され得る。また、小便器用放尿目標体の表面を着色したり、文字や図を印刷したりすることが可能である。これにより、広告機能をもたらすことが可能である。さらに、小便器放尿目標体は透光性を有するものにしたりすることが可能である。
【産業上の利用可能性】
【００３８】
本発明は小便器に利用可能である。
【図面の簡単な説明】
【００３９】
【図１】実施例１の小便器用放尿目標体が取付けられた小便器の一部切欠き断面図である。
【図２】実施例１の小便器用放尿目標体が取付けられた小便器の正面図である。
【図３】実施例１の小便器用放尿目標体の斜視図である。
【図４】実施例２の小便器用放尿目標体の正面図である。
【図５】実施例２の小便器用放尿目標体の断面図である。
【図６】実施例３の小便器用放尿目標体の斜視図である。
【図７】実施例４の小便器用放尿目標体の斜視図である。
【符号の説明】
【００４０】
１…用便者
１０…小便器本体
１１…鉢面
２０、３０、４０、５０…小便器用放尿目標体
２２、３２、４２、５２…遮蔽壁
２２ａ、３２ａ、４２ａ、５２ａ…第１開口
２２ｂ、３２ｂ、４２ｂ、５２ｂ…第２開口
２２ｓ、３２ｓ、４２ｓ、５２ｓ…遮蔽面
【図１】
2008297833.tif 000003
【図２】
2008297833.tif 000004
【図３】
2008297833.tif 000005
【図４】
2008297833.tif 000006
【図５】
2008297833.tif 000007
【図６】
2008297833.tif 000008
【図７】
2008297833.tif 000009